(57)【要約】【課題】天井などの構築・構造物内に収納された状態でも、点検やメンテナンスを容易に行うことができるようにする。【解決手段】  開閉体装置は、構築・構造物の開口部の側端部付近に設けられた出入口を介して開閉手段を開閉移動させることによって開口部を開閉する。パネル手段は、構築・構造物を構成する出入口付近と同じ部材を保持し、開閉体手段に脱着可能に設けられている。このパネル手段に保持された部材を用いて構築・構造物を構成するように開閉体手段を構築・構造物に設置する。パネル手段が出入口付近と同じ部材を保持しているので、出入口部の意匠上の見栄えはよくなる。また、開閉体装置の定期的な点検やメンテナンスが必要な場合には、このパネル手段を脱着することによって、天井部材を容易に取り外すことができ、点検やメンテナンス終了時にはパネル手段を元に戻すだけでよく、点検やメンテナンスを容易に行うことが可能となる。【選択図】図２
2006348575.tif 000002
【特許請求の範囲】
【請求項１】
構築・構造物の開口部の側端部付近に設けられた出入口を介して開閉手段を開閉移動させることによって前記開口部を開閉する開閉体手段と、
前記構築・構造物を構成する前記出入口付近と同じ部材を保持し、前記開閉体手段に脱着可能に設けられたパネル手段とを備えた開閉体装置であって、
前記パネル手段に保持された部材を用いて前記構築・構造物を構成するように前記開閉体手段を前記構築・構造物に設置したことを特徴とする開閉体装置。
【請求項２】
請求項１に記載の開閉体装置において、前記開閉体手段はガイドレールの巻取り軸側延長線に対して接近離間するように支持された巻取り軸を備えたことを特徴とする開閉体装置。
【請求項３】
請求項１又は２に記載の開閉体装置において、前記開閉体手段は前記構築・構造物の天井側に設けられ、前記パネル手段は前記構築・構造物の天井部材を保持することを特徴とする開閉体装置。
【請求項４】
請求項１、２又は３に記載の開閉体装置において、前記パネル手段は前記開閉体手段に対して回転して脱着するように設けられていることを特徴とする開閉体装置。
【請求項５】
請求項１、２、３又は４に記載の開閉体装置において、前記パネル手段は前記開閉体手段に対して複数設けられ、少なくとも２種類の脱着方法で設けられていることを特徴とする開閉体装置。
【発明の詳細な説明】
【技術分野】
【０００１】
本発明は、住宅、ビル、工場、倉庫などの建物を含む構築・構造物、地下街などの地下施設等の開口部に設置されるシャッターカーテンなどの開閉手段を移動することによってその開口部を開放／閉鎖する開閉体装置に関する。
【背景技術】
【０００２】
従来、住宅、ビル、工場、倉庫、車庫などの建物を含む構築・構造物、地下街などの地下施設等の開口部に設置されるシャッターカーテンなどの開閉体は、閉鎖方向へ移動することによってその開口部を閉鎖するものである。この開閉体装置としては、複数のパイプを開閉方向へ連設してなる開閉体を備えた、いわゆるグリルシャッター装置が知られている。図１は、従来のグリルシャッター装置の概略構成を示す図である。グリルシャッター装置は、カーテン部分が多数のパイプ材をリンク部材にて連設した構成されるものであり、その基本構成はスラットカーテンを用いたシャッターカーテン装置とほとんど同じである。
【０００３】
図１に示したグリルシャッター装置は、巻取り軸をガイドレールの巻取り軸側延長線に対して接近離間させることができる巻取り軸構造を採用したものである。この巻取り軸構造を備えた開閉体装置１は、躯体９の開口部を開閉する開閉体１０と、この開閉体１０を開閉方向（図示によれば上下方向）へ案内するガイドレール２０と、開閉体１０を巻取ったり繰出したりする巻取り軸３０と、躯体９側に固定されるケース本体４０と、このケース本体４０に対して移動自在に支持されるとともに巻取り軸３０をその両端側で回動自在に支持する可動部材５０と、この可動部材５０の移動抵抗を軽減するために可動部材５０の四隅に設けられた移動補助手段６０と、移動補助手段６０を案内する案内部材７０，７１とを備えている。可動部材５０と移動補助手段６０とで、巻取り軸３０をガイドレール２０の巻取り軸側延長線に対して接近離間するように支持すると共にこの巻取り軸３０に巻回されたり繰出されたりする開閉体１０をガイドレール２０に沿って開閉方向へスムーズに案内している。
【０００４】
開閉体１０の詳細については図示を省略してあるが、開閉体１０は、中空パイプなどの棒状の長体よりなる部材により構成されたシャッター部材と、これらのシャッター部材を連結するリンクとから構成されており、これによって、各シャッター部材は、水平な姿勢のまま、所定間隔で上下に配列され、その両端をガイドレール２０の中に挿入した状態で、その前後を摺動自在に支持され、上下にガイドされる。
【０００５】
ガイドレール２０は、開閉体１０の幅方向の両端部側にそれぞれ配設されている。各ガイドレール２０は、アルミ合金材料を引抜き成形あるいは押し出し成形したり鋼板や他の金属板を曲げ加工したりすることで、横断面略コの字状に形成された部材である。天井には、シャッター部材の出入口となるスリット状の出入口部２１が設けられている。ガイドレール２０は、開閉体１０の幅方向の端部を、長手方向に連続する出入口部２１に挿入されて開閉方向（図１の上下方向）へ案内するように、開閉体幅方向の両端側の各々に配設されている。そして、ガイドレール２０の上端側には、出入口部２１に連続して係合するとともに、天井内部の上方へ向かって出入口部２１の幅寸法を拡大するように略ラッパ状の呑込み部が形成されている。この呑込み部は、開閉体１０におけるガイドレール２０の上方側部位が巻取り軸３０側へ寄せられて斜めになった際に、開閉体１０とガイドレール２０の上端部との摺接を軽減するものである。
【０００６】
巻取り軸３０は、可動部材５０にベアリング等を介して回動自在に軸支される軸本体３１と、この軸本体３１の周囲に固定された略筒状のドラム３２とを備えており、このドラム３２の周囲に開閉体１０が巻回されるように構成してある。また、この巻取り軸３０の軸本体３１には、電動モーター等の駆動源８０からチェーン８１を介して回転力の伝達を受けるスプロケット（図示せず）が設けられている。
【０００７】
案内部材７０，７１は、可動部材５０の四隅に設けられた移動補助手段６０の各々に対応してケース本体４０の両側側面に配設されており、内面が後述する移動補助手段６０の脱落を防止する略凹溝状に形成され、その底面に移動補助手段６０の外周面と嵌り合う断面凸状のレール７２，７３が設けられている。各案内部材７０，７１内のレール７２，７３は、巻取り軸側延長線に対する接近離間方向へ延設されている。案内部材７０，７１は、巻取り軸３０、可動部材５０及び移動補助手段６０等をガイドレール２０の巻取り軸側延長線に対して略水平に接近離間する方向へ導くように案内する。
【０００８】
可動部材５０は、案内部材７０，７１に対応して配設されており、略矩形状の金属板を曲げ加工することで、その上下端部に、移動補助手段６０を固定するための受部５１，５２を断面略Ｌ字状に配設してあり、これら断面略Ｌ字状の受部５１，５２によって接近離間方向（図示によれば略水平方向）の曲げ強度を補強している。巻取り軸３０の両端側にそれぞれ設けられる可動部材５０の一方には、断面略Ｌ字状等のブラケット７４を介して、電動モーター等の駆動源８０が支持されている。このような開閉体装置として、例えば、特許文献１に記載されたものがある。
【特許文献１】特開２００４−２９３１９１号公報
【発明の開示】
【発明が解決しようとする課題】
【０００９】
上述のようにグリルカーテンやシャッターカーテンなどが建物内部に巻き上がって収納されるタイプの開閉体装置の場合、巻取りシャフトやカーテンを覆い隠すケース板鈑を取り付けて収納する（ケース納まり）方式や巻き上がった状態の開閉体装置をそのまま部屋の天井部材等で隠す（天井納まり）方式がある。ケース納まり方式の場合、ケース下面側を取り外すことによって内部の点検やメンテナンスを行うことができるようになっているが、天井納まり方式の場合、開閉体装置下側の天井部材が約５０ｃｍ四方の正方形に分割されており、この部分を点検口として取り外し、天井裏を伺うか、この点検口から天井裏に入り込んで点検やメンテナンスを行っていた。
【００１０】
従って、天井納まり方式の場合、吊り元やシャフト、開閉機、制御盤などのように天井裏に納まっている機械部品などを詳細に点検したり、その部品を交換したりといった作業が困難となる場合があった。また、シャフトやカーテンの交換を要する作業では一端天井部材を取り外し、交換後に再度天井部材を取り付けなければならず、費用や労力を要する場合があった。さらに、上述ように巻取り軸をガイドレールの巻取り軸側延長線に対して接近離間させることができる巻取り軸構造を採用したものは、その構造の持つ特徴から定期的な点検やメンテナンスが必要なため、従来のような点検口では、十分な点検やメンテナンスを行うことが困難となる場合があった。
【００１１】
本発明の目的は、天井などの構築・構造物に収納された状態でも、点検やメンテナンスを容易に行うことのできる開閉体装置を提供することにある。
【課題を解決するための手段】
【００１２】
本発明の開閉体装置の第１の特徴は、構築・構造物の開口部の側端部付近に設けられた出入口を介して開閉手段を開閉移動させることによって前記開口部を開閉する開閉体手段と、前記構築・構造物を構成する前記出入口付近と同じ部材を保持し、前記開閉体手段に脱着可能に設けられたパネル手段とを備えた開閉体装置であって、前記パネル手段に保持された部材を用いて前記構築・構造物を構成するように前記開閉体手段を前記構築・構造物に設置したことにある。
開閉体手段は、ビル、住宅、工場、倉庫等の建物などの構築・構造物における、出入り口や窓部、あるいは内部の通路や空間などの開口部などの側端部付近に設けられた出入口を出入移動するシャッターカーテンなどの開閉手段で構成され、閉店時などのように開口部を仕切るために出入口から繰り出されたり、開放するために出入口に繰り入れられたりする。このような開閉手段は、通常構築・構造物などの開口部の上部に収納され、出入口を介して下降して開口部を閉鎖する。これ以外にも開閉手段が開口部の側部に収納され横引き方式で開閉移動したり、開口部の下部に収納され上昇方式で開閉移動したりするものもある。ここで、開閉移動とは、開方向のみ、閉方向のみ、開閉両方向の移動を包含して意味する。また、閉は繰り出し、スライド移動、展張等を含み、開閉部材の前進を意味し、開は巻き取り、収縮、折り畳み等を含み、開閉体の後退を意味する。開閉手段の閉移動先端部が床面等の当接部や当接面に直接的又は間接的に接触したときに、開閉手段は移動終了する。このような開閉体装置は、通常天井部などに収納され、その収納された状態から移動を開始するようになっている。開閉体装置が天井部に収納される場合、パネル手段は出入口付近と同じ部材である天井部材を保持することになる。すなわちパネル手段が出入口付近と同じ部材を保持することによって、出入口部の意匠上の見栄えはよくなる。また、開閉体装置の定期的な点検やメンテナンスが必要な場合には、このパネル手段を脱着することによって、天井部材を容易に取り外すことができ、点検やメンテナンス終了時にはパネル手段を元に戻すだけでよく、点検やメンテナンスを容易に行うことが可能となる。
【００１３】
本発明の開閉体装置の第２の特徴は、前記第１の特徴に記載の開閉体装置において、前記開閉体手段はガイドレールの巻取り軸側延長線に対して接近離間するように支持された巻取り軸を備えたことにある。
これは、開閉体装置として巻取り軸をガイドレールの巻取り軸側延長線に対して接近離間させることができる巻取り軸構造を採用したものであり、この場合、本発明のようなパネル手段を設けることによって、点検やメンテナンスを容易に行うことができる。
【００１４】
本発明の開閉体装置の第３の特徴は、前記第１又は第２の特徴に記載の開閉体装置において、前記開閉体手段は前記構築・構造物の天井側に設けられ、前記パネル手段は前記構築・構造物の天井部材を保持することにある。
これは、開閉体装置が構築・構造物の天井側に設けられ、パネル手段が構築・構造物の天井部材を保持するように構成したものである。
【００１５】
本発明の開閉体装置の第４の特徴は、前記第１、第２又は第３の特徴に記載の開閉体装置において、前記パネル手段は前記開閉体手段に対して回転して脱着するように設けられていることにある。
これは、パネル手段が開閉手段に対して回転して脱着するように構成したものである。回転脱着の方式としては、片側開きや観音開きなどを採用することができる。
【００１６】
本発明の開閉体装置の第５の特徴は、前記第１、第２、第３又は第４の特徴に記載の開閉体装置において、前記パネル手段は前記開閉体手段に対して複数設けられ、少なくとも２種類の脱着方法で設けられていることにある。
これは、開閉体装置の各構成部品の中で頻繁に点検やメンテナンスを行う必要がある部分に対応するパネル手段には、サムターン錠やシリンダー錠などの錠錠部材を設け、これを開錠することで容易にパネル手段を脱着可能とし、点検やメンテナンスの必要性が少ない部品に対応するパネル手段には、ネジなどの固定具によって脱着可能としたものである。
【発明の効果】
【００１７】
本発明の開閉体装置によれば、天井などの構築・構造物内に収納された状態でも、点検やメンテナンスを容易に行うことができるという効果がある。
【発明を実施するための最良の形態】
【００１８】
以下添付図面に従って本発明に係る開閉体装置の一実施の形態に係るグリルシャッター装置について説明する。図２は、本発明に係るグリルシャッター装置の概略を示す図であり、図２において、図１と同じ構成のものには同一の符号が付してあるので、その説明は省略する。このグリルシャッター装置は、従来技術の項で説明したものと同じであり、巻取り軸をガイドレールの巻取り軸側延長線に対して接近離間させることができる巻取り軸構造を備えたものである。
【００１９】
このグリルシャッター装置が図１のものと異なる点は、シャッター装置の幅方向の一端から他端までに渡って存在する天井部材２４ｂ〜２４ｄをグリルシャッター装置の下面ケースに張り合わせ、両者を一体で構成し、天井から脱着可能とした点である。すなわち、ケース本体４０の下面側に補助部材２１，２２を設け、この補助部材に天井部材２４ｂ〜２４ｄを保持する天井パネル２５１〜２５３を回転可能に設けたものである。
【００２０】
天井部材２４ａ，２４ｅは、建物の一部を構成する天井部材であり、グリルシャッター装置の前後（図２では左右）に固定的に配置されている。従来は、このような天井部材がグリルシャッター装置の下面側にも設けられており、その一部に点検口が設けられていた。この実施の形態では、ケース本体４０の下面側の天井部材２４ｂ〜２４ｄを補助部材２１の下面を回転軸として回転することによって天井部材２４ｂ〜２４ｄを天井側から脱着することができるようにした。これによって、従来のように別途点検口を設けなくても、天井パネル２５１〜２５３を回転移動してケース本体４０の下面側を全開状態にすることによって、グリルシャッター装置の点検やメンテナンスを容易に行うことができるようにしたものである。
【００２１】
図３は、図２のグリルシャッター装置を左側から見た側面図であり、図４は、図２のグリルシャッター装置を下側から見た下面図である。図５は、図３の中央パネルの部分の構造の概略を示す図である。図３では、ケース本体４０の内部に巻取り軸３０の軸本体３１と案内部材７０，７１が点線で示されており、これ以外の部材については図示を省略してある。また、このグリルシャッター装置は横方向に長いので、その一部分を省略して示してある。ケース本体４０の側面（図３の前面側）には、図３に示すように、３枚のケース板４１〜４３がネジなどの固定具によって脱着可能に取り付けられている。
【００２２】
ケース本体４０の下面は、図４に示すように、天井パネル２５の端部パネル２５１，２５２と中央パネル２５３が図示していない蝶番などによって補助部材２１側に回転可能に取り付けられている。端部パネル２５１，２５２は、図２に示すように、補助部材２２の内側側面に設けられたマグネットキャッチ２６によって吸引吸着される凸部２５５を備えている。また、端部パネル２５１，２５２は、補助部材２２との間でサムターン錠又はシリンダー錠を構成する錠部材２５６を備えている。従って、錠部材２５６が外れた場合でも端部パネル２５１，２５２はマグネットキャッチ２６によって一時的に保持されるようになっている。また、マグネットキャッチ２６だけでは、地震などの振動によってパネルが開くおそれがあるので、サムターン錠又はシリンダー錠を設け、振動によって端部パネル２５１，２５２が容易には開かないようになっている。また、中央パネル２５３は、図５に示すように、ケース本体４０にネジなどの固定具によって脱着可能に取り付けられている。このように、端部パネル２５１，２５２及び中央パネル２５３に天井部材２４ｂ〜２４ｄが設けられているので、意匠上の見栄えを向上させることができる。
【００２３】
錠部材２５６を開錠することで端部パネル２５１，２５２を容易に開くことができるので、その近傍に設けられている開閉機、制御盤、及び可動部材５０や案内部材７０，７１などの点検やメンテナンスを容易に行うことができる。一方、グリルシャッター装置のほぼ中央部には、点検やメンテナンスを必要とする部材が少ないので、ネジなどの固定具によって脱着可能に取り付けられている。なお、中央パネル２５３も端部パネル２５１，２５２と同様に錠部材やマグネットキャッチを設けてもよい。
【００２４】
グリルシャッター装置の開閉体１０が降下するとき、開閉体１０の下に障害物があると開閉体１０に挟まれたりして、障害物や開閉体１０自身に損傷等の悪影響を与えるおそがあるので、開閉体１０の降下動作中に何らかの障害物が存在する場合には降下動作を停止等するような制御をさせることが好ましい。通常、このような装置は、座板内部に障害物の検出信号を出力する検出信号出力手段となるマイクロスイッチ等を内蔵し、このマイクロスイッチと制御盤をコードなどの有線で連結している。連結したコードが弛むことがあるので、コードをゼンマイ等の巻取側への付勢部材内蔵のリールに巻き取ったり、コード収納部へ導くコードプーリにより収納したりして、開閉に伴ってコードを繰り出し収納するようにしている。また、テープスイッチを座板に貼付したり、左右のガイドレールに赤外光の送受信を行う発光部と受光部を設けて、障害物を感知するようにしてもよい。
【００２５】
端部パネル２５１，２５２及び中央パネル２５３の左右上下端部には、図示していない見切り縁がネジなどの固定具によって脱着可能に取り付けられている。この見切り縁の片側を取り外し、そこから天井部材を挿入することができるようになっている。このように天井部材は、ビスなどによって固定されていないので、見切り縁を取り外すことよって容易に交換することができるようになっている。中央パネル２５３は、ケース本体４０に取り付けられた補助部材２２にネジなどの固定具によって脱着可能に取り付けられている。
【００２６】
上述の実施の形態では、端部パネル２５１，２５２、中央パネル２５３がケース本体４０の下面を全体的に覆うような形状のものについて説明したが、開閉体装置の周囲に設けられる天井部材の形状に合わせて、ケース本体４０の一部を覆うようなものでもよいし、端部パネル２５１，２５２、中央パネル２５３の方がケース本体４０の下面よりも大きくてもよい。また、端部パネル２５１，２５２、中央パネル２５３は一端を軸として回転して開く場合について説明したが、全体が取り外し可能な構成でもよいし、片側開きや観音開きとしてもよい。
【００２７】
また、上述の実施の形態では、開閉部材であるシャッターカーテンが下降しながら繰り出されて閉鎖するグリルシャッター装置を例に説明したが、これ以外にも開閉部材が横引き方式で繰り出されたり、上昇方式で繰り出されたり、あるいは水平方式で繰り出されたりするもの等であっても同様に適用することができる。開閉体装置としては、例えば、シャッター装置、ブラインド装置、ロールスクリーン装置、垂れ幕装置などがある。開閉体装置をシャッター装置とした場合、開閉手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉手段である開閉部材の材質は、使用目的に応じたものであれば、どのようなものでもよい。具体的には、金属製、木製、プラスチック製、布製、これらの複合されたものなどで構成することができる。なお、防火目的で設置される開閉体装置の場合、少なくとも開閉手段である開閉部材の材質は、耐火性を有しているものが好ましい。
【００２８】
上述の実施の形態によれば、メンテナンスや修理、部品交換等の作業時に天井部材を保持した端部パネルや中央パネルを開閉したり外すことによって、地上から開閉機やシャフトに巻かれたカーテン部材等を直接見ることができ、点検・修理や開閉機やシャフトなどの部品交換も容易に行える。また、端部パネルや中央パネルは出入口部に沿った方向に分割してあるが、分割しなくてもよい。さらに、ケース本体に天井部材を固定して、天井パネル（端部パネルや中央パネルやこれらを一体化したものなど）を形成するようにしてもよい。点検や作業の障害となる補強部材もボルト固定にして脱着可能としてもよい。脱着する方法として、端部パネルや中央パネルを開閉する場合について説明したが、パネル全体を天井から取り外し可能としてもよい。端部パネルや中央パネルの固定方法として、マグネットやネジなどの固定具を用いる場合について説明したが、作業時や非常時にパネルを外すことができればよいので、単に内まぐさやブラケット補強材等に引っ掛け部材を設け、そこに天井部材を載せるようにしてもよいし、マグネットやネジなどの固定具を適宜組み合わせて固定するようにしてもよい。天井部材の固定は、天井部材をそのまま端部パネルや中央パネルにビスや接着剤を用いて設けてもよく、パネル四方に天井部材を載せる額縁を設けてもよい。
【図面の簡単な説明】
【００２９】
【図１】従来のグリルシャッター装置の概略構成を示す図である。
【図２】本発明に係るグリルシャッター装置の概略を示す図である。
【図３】図２のグリルシャッター装置を左側から見た側面図である。
【図４】図２のグリルシャッター装置を下側から見た下面図である。
【図５】図３の中央パネルの部分の構造の概略を示す図である。
【符号の説明】
【００３０】
１…開閉体装置
９…躯体
１０…開閉体
２０…ガイドレール
３０…巻取り軸
４０…ケース本体
５０…可動部材
６０…移動補助手段
７０，７１…案内部材
２１…出入口部
３１…軸本体
３２…ドラム
８０…駆動源
８１…チェーン８１
２４ａ〜２４ｅ…天井部材
２５１〜２５３…天井パネル
４１〜４３…ケース板
２５１，２５２…端部パネル
２５３…中央パネル
２１，２２…補助部材
２６…マグネットキャッチ
２５６…錠部材
【図１】
2006348575.tif 000003
【図２】
2006348575.tif 000004
【図３】
2006348575.tif 000005
【図４】
2006348575.tif 000006
【図５】
2006348575.tif 000007